(57)【要約】      （修正有）【課題】アンカーボルトに強力な回転力が加わった場合でも、硬化したコンクリート内でのアンカーボルトの回転を防止できるアンカーボルトを提供する。【解決手段】軸部１０の一端部に設けた埋設部２０と、軸部１０の他端部に設けたボルト部とを形成する。該埋設部２０に、ボルト部３０の下端から周囲に張出して逆円錐形状を成した張出し部２１を形成する。該張出し部２１の下面中央に円柱状の支持部２２を突設する。張出し部２１の外周に多角形状の回転止め部２１Ａを形成する。回転止め部２１Ａを平面六角形状に形成する。該回転止め部２１Ａの厚みを張出し部２１の全体の厚みの半分の厚みとする。【選択図】図１
0003165104.tif 000002
【実用新案登録請求の範囲】
【請求項１】
軸部の一端部に設けた埋設部と、軸部の他端部に設けたボルト部とを有し、コンクリート構造物内に埋設部を固定し、ボルト部に他の構造物をネジ止めするアンカーボルトにおいて、該埋設部は、ボルト部の下端から周囲に張出して逆円錐形状を成した張出し部と、該張出し部の下面中央に突設された円柱状の支持部とで構成され、張出し部の外周に多角形状の回転止め部を形成したことを特徴とするアンカーボルト。
【請求項２】
前記回転止め部は、平面六角形状に形成されると共に、該回転止め部の厚みを前記張出し部の全体の厚みの半分の厚みを有する請求項１記載のアンカーボルト。
【請求項３】
前記張出し部の上面に円形状の引抜止め部を形成し、該引抜止め部の直径を前記回転止め部の最大直径と同じ径に形成した請求１又は２記載のアンカーボルト。
【請求項４】
前記軸部の前記ボルトがわ側面に埋め込み目印を設けた請求項１記載のアンカーボルト。
【考案の詳細な説明】
【技術分野】
【０００１】
本考案は建築用金物として使用されるアンカーボルトに係り、引っ張り力及び回転力のいずれにも抵抗する構造となり、設置作業も容易に行えるアンカーボルトに関するものである。
【背景技術】
【０００２】
建築工法において、例えば土台をコンクリート基礎上に固定する際に、アンカーボルトが使用されている。このアンカーボルトは、コンクリート基礎内に予め埋設されており、この基礎から上方に突出したボルト部分に土台を装着するように設けられたものである。
【０００３】
従来、コンクリート基礎内からの引っ張り抵抗力を高めようとしたアンカーボルトが特許文献１に記載されている。このアンカーボルトは、下端部が略Ｊの字形状に屈曲された従来のアンカーボルトを改良したもので、コンクリート埋設部の下端部に、アンカーボルトの軸部の外周面より外側に突出した膨大部を設け、この膨大部が引っ張り力に対してバランスのよい抵抗となるとしている。
【０００４】
特許文献１に記載のアンカーボルトは、膨大部の形状を、軸部の外周面より外側に突出した円盤状に形成しているものである。そのため、引っ張り力に対する抵抗は生じても、アンカーボルトの回転力に抵抗できる構造ではなかった。すなわち、アンカーボルトは、コンクリート基礎の上方に突出したボルト部にナットをネジ止めして他の構造物を固定するものであるから、このアンカーボルトには、引っ張り力と共に、回転力にも抵抗する構造が望ましいものである。ところが、底面が平らな円盤状の膨大部では、このアンカーボルトに回転力が加わった場合に、硬化したコンクリートの中で回転してしまうおそれがあった。
【０００５】
さらに、この種のアンカーボルトをコンクリート構造物Ｐ内に埋設する場合、コンクリート基礎枠内に予めアンカーボルトを設置し、その後、コンクリートを打設するといった方法の外、先にコンクリートを打設し、このコンクリートが硬化する前にアンカーボルトを上から所定の深さまで差し込む方法もある。このような場合、特許文献１の如く、底面が平らな円盤状の膨大部では、差し込む際の抵抗が大きくなり、アンカーボルトを正確な位置に設置する作業に多くの手間を要するものである。
【０００６】
そこで、当考案者は先に、特許文献２に記載の如く、埋設部の底部形状を逆截頭角錐形状に形成したことにより、引っ張り力のみならず、回転力にも抵抗する構造となり、しかも、コンクリートに差し込む際の抵抗も軽減することができるアンカーボルトを提案している。
【先行技術文献】
【特許文献】
【０００７】
【特許文献１】特開２００４−１１１１８号公報
【特許文献２】実用新案登録第３１３２０４０号公報
【考案の概要】
【考案が解決しようとする課題】
【０００８】
特許文献２に記載のアンカーボルトにより、コンクリート効果前に埋設部を差し込む作業においても、抵抗が少なくなり、埋設部の角部が回転力に対して抵抗力を有するものになった。
【０００９】
ところが、このアンカーボルトに強力な回転力が加わった場合は、逆截頭角錐形状の底部形状では、硬化したコンクリートの中で回転してしまうおそれがあった。
【００１０】
そこで本考案は、上述の課題を解消すべく案出されたもので、アンカーボルトに強力な回転力が加わった場合でも、硬化したコンクリート内でのアンカーボルトの回転を防止できるアンカーボルトの提供を目的とするものである。
【課題を解決するための手段】
【００１１】
上述の目的を達成すべく本考案の第１の手段は、軸部１０の一端部に設けた埋設部２０と、軸部１０の他端部に設けたボルト部３とを有し、コンクリート構造物Ｐ内に埋設部２０を固定し、ボルト部３０に他の構造物Ｑをネジ止めするアンカーボルトにおいて、該埋設部２０は、ボルト部３０の下端から周囲に張出して逆円錐形状を成した張出し部２１と、該張出し部２１の下面中央に突設された円柱状の支持部２２とで構成され、張出し部２１の外周に多角形状の回転止め部２１Ａを形成したことにある。
【００１２】
第２の手段における前記回転止め部２１Ａは、平面六角形状に形成されると共に該回転止め部２１Ａの厚みを前記張出し部２１の全体の厚みの半分の厚みを有するものとする。
【００１３】
第３の手段において、前記張出し部２１の上面に円形状の引抜止め部２１Ｂを形成し、該引抜止め部２１Ｂの直径を前記回転止め部２１Ａの最大直径と同じ径に形成している。
【００１４】
第４の手段は、前記軸部１０の前記ボルト３がわ側面に埋め込み目印１１を設けたことを課題解消のための手段とする。
【考案の効果】
【００１５】
本考案の請求項１によると、ボルト部３０の下端から周囲に張出して逆円錐形状を成した張出し部２１と、該張出し部２１の下面中央に突設された円柱状の支持部２２とで埋設部２０を構成し、張出し部２１の外周に多角形状の回転止め部２１Ａを形成したことにより、張出し部２１の回転を回転止め部２１Ａが抑止することができる。この結果、アンカーボルトに回転力が加わった場合に、硬化したコンクリートの中で回転してしまうおそれは解消された。
【００１６】
しかも、張出し部２１の形状が逆円錐形状を成しているので、コンクリート硬化前に埋設部２０を差し込む作業においても抵抗が少なくなり、正確な位置への設置が容易に行える。
【００１７】
また、請求項２により、回転止め部２１Ａは、平面六角形状に形成されると共に、該回転止め部２１Ａの厚みを前記張出し部２１の全体の厚みの半分の厚みを有するものなので、埋設部２０の回転に対して回転止め部２１Ａが強く抵抗するものになる。この結果、アンカーボルトに強力な回転力が加わった場合でも、硬化したコンクリートの中で張出し部２１が回転するのを防止できる。
【００１８】
請求項３において、張出し部２１の上面に円形状の引抜止め部２１Ｂを形成し、引抜止め部２１Ｂを前記回転止め部２１Ａの最大直径と同じ直径に形成したことにより、回転止め部２１Ａの回転抑止効果と共に張出し部２１の引っ張り抵抗力を高めることができる。
【００１９】
更に、請求項４では、軸部１０の側面に設けた埋め込み目印１１により、埋設部２０を所定の深さまで差し込む際の目印にすることが可能になり、設置作業を合理化することができる。
【図面の簡単な説明】
【００２０】
【図１】本考案の使用例を示す正面図である。
【図２】本考案の一実施例を示す正面図である。
【図３】本考案の埋設部を示す要部斜視図である。
【図４】本考案の埋設部を示す底面図である。
【図５】本考案の他の埋設部を示す要部斜視図である。
【図６】本考案の他の埋設部を示す底面図である。
【図７】本考案の他の使用例を示す正面図である。
【考案を実施するための形態】
【００２１】
本考案によると、アンカーボルトに強力な回転力が加わった場合でも、硬化したコンクリート内でのアンカーボルトの回転を防止できるなどといった当初の目的を実現した。
【実施例】
【００２２】
以下、本考案を図示例に基づいて説明する。本考案は、軸部１０の一端部に設けた埋設部２０と、軸部１０の他端部に設けたボルト部３０とを有するアンカーボルトである（図２参照）。このアンカーボルトは、コンクリート構造物Ｐ内に埋設部２０を固定し、ボルト部３０に他の構造物Ｑをネジ止めするものである（図１参照）。
【００２３】
本考案アンカーボルトにおいて、埋設部２０の構成を、ボルト部３０の下端から周囲に張出して逆円錐形状を成した張出し部２１と、該張出し部２１の下面中央に突設された円柱状の支持部２２とで構成している（図２参照）。
【００２４】
張出し部２１を形成する逆円錐形状とは、上面が平で下面が円錐形を成している状態である。そして張出し部２１の外周に後述する回転止め部２１Ａを形成する（図２参照）。
【００２５】
一方、張出し部２１の下面中央に突設される支持部２２は円柱状に形成されている（図３参照）。図示の支持部２２は軸部１０の太さよりも若干細く形成している。こうすることで、硬化前のコンクリートに埋設する作業を容易にしている。また、円柱形状の支持部２２の底部は平坦な面になっている。この底面により、本考案ボルトを所定位置に載置する場合の安定性を高めることができる。
【００２６】
この張出し部２１には、更に回転止め部２１Ａを設けている（図３、４参照）。すなわち、回転止め部２１Ａは張出し部２１の外周に設けた構成であり、平面多角形状を成している。図示の回転止め部２１Ａは平面六角形状に形成されている（図４参照）。また、回転止め部２１Ａの形状は、この他、平面三角形状、四角形状、五角形状などに形成することも可能である（図示せず）。更に、回転止め部２１Ａの厚みは、張出し部２１の全体の厚みの半分の厚みを有する厚みに形成することで、回転止め部２１Ａ回転時におけるコンクリートとの接触面積をできるだけ広くしている（図２参照）。
【００２７】
一方、引抜止め部２１Ｂは張出し部２１の上面に設けた構成であり、平面円形状を成している（図４参照）。図示の引抜止め部２１Ｂは回転止め部２１Ａの最大直径と同じ直径に形成されている。また、この引抜止め部２１Ｂの直径は任意に変更することが可能である。
【００２８】
また、引抜止め部２１Ｂを形成せず回転止め部２１Ａのみの使用も可能である（図５、図６参照）。図示例の回転止め部２１Ａの上面には引抜止め部２１Ｂを形成せず、平面六角形状の回転止め部２１Ａが形成されている。このように形成することで、硬化前のコンクリートに埋設する作業を容易にしている。
【００２９】
軸部１０の前記ボルト３がわ側面に、複数本の埋め込み目印１１を設けている（図２参照）。この埋め込み目印１１は、本考案アンカーボルトの埋設部２０をコンクリート打設後にコンクリート構造物Ｐ内に差し込む際の目印にするほか、コンクリート打設前に本考案アンカーボルトを設置する際の目印にすることも可能になる（図１参照）。また、図中符号１２は、認定番号や製品番号等を表示する表示部であり、埋め込み目印１１よりもボルト部３０近くに表示部４を設けることで、コンクリート構造物Ｐ内に埋設されているアンカーボルトの品質やサイズ等を目視で確認することが可能になる。
【００３０】
次に、本考案の使用例を説明する。図１に示す使用例は、布基礎上に土台を接合する際に使用する状態を示している。すなわち、コンクリート構造物Ｐである布基礎内に、主筋Ｓ等と共に埋設部２０を埋設し、この布基礎から上方に突出したボルト部３０を、土台となる木製の構造物Ｑに貫通させ、座金４０とナット５０にて連結したものである。この場合、支持部２２の最下端部を、コンクリート構造物Ｐの下方に予め敷設したべた基礎Ｒに当接させておき、軸部１０の埋め込み目印１１までコンクリートを打設することで布基礎を構築している。この際、支持部２２を円柱状に形成しているので、最下端部の平らな面を、べた基礎Ｒ上に安定した状態に設置することができる。このように、本考案アンカーボルトをスケールとして利用することも可能である。
【００３１】
図７に示す使用例は、基礎・スラブＳ等に鋼製柱Ｔを支持する際に使用した状態を示している。すなわち、軸部１０の埋設部２０を基礎・スラブＳ内に埋設し、上部に突出したボルト部３０に鋼製柱Ｔを連結している。この場合、軸部１０のボルト部３０は、鋼製柱ＴのベースプレートＴ１に直接貫通し、座金４０とナット５０にて連結している。
【産業上の利用可能性】
【００３２】
本考案において、主に土台をコンクリート基礎上に固定する際に利用するアンカーボルトとして説明しているが、この種の利用に限定されるものではなく、他の部材をコンクリートに固定するアンカーボルトとしての使用も可能である。また、軸部１０の長さや直径、張出し部２１や支持部２２の直径、あるいは回転止め部２１Ａや引抜止め部２１Ｂの形状等は図示例に限定されるものではなく、本考案の要旨を変更しない範囲で任意に変更することができるものである。
【符号の説明】
【００３３】
Ｐ  コンクリート構造物
Ｑ  構造物
Ｒ  べた基礎
Ｓ  基礎・スラブ
Ｔ  鋼製柱
Ｔ１  ベースプレート
１０  軸部
１１  埋め込み目印
１２  表示部
２０  埋設部
２１  張出し部
２１Ａ  回転止め部
２１Ｂ  引抜止め部
２２  支持部
３０  ボルト部
４０  座金
５０  ナット
【図１】
0003165104.tif 000003
【図２】
0003165104.tif 000004
【図３】
0003165104.tif 000005
【図４】
0003165104.tif 000006
【図５】
0003165104.tif 000007
【図６】
0003165104.tif 000008
【図７】
0003165104.tif 000009